(57)【要約】【課題】低コスト化及び省スペース化を図ることができる負荷検出回路を提供する。【解決手段】負荷検出回路は、着脱可能な負荷に論理信号を送出するためのインバータ２と、マイクロコンピュータ１とを備え、マイクロコンピュータ１が、マイクロコンピュータ１の入力ポートＰINに供給されるインバータ２の出力端電圧の分圧に基づいて、着脱可能な負荷４の装着有無を検出する。【選択図】図１
2014006623.tif 000002
【特許請求の範囲】
【請求項１】
着脱可能な負荷に論理信号を送出するためのバッファ又はインバータのいずれかの論理回路と、
マイクロコンピュータとを備え、
前記マイクロコンピュータが、前記マイクロコンピュータの入力ポートに供給される前記論理回路の出力端電圧又は前記論理回路の出力端電圧の分圧に基づいて、前記着脱可能な負荷の装着有無を検出することを特徴とする負荷検出回路。
【請求項２】
前記マイクロコンピュータが、
前記論理回路の出力端電圧又は前記論理回路の出力端電圧の分圧がＨｉｇｈレベル又はＬｏｗレベルのいずれかを判定し、
前記論理回路の出力端電圧又は前記論理回路の出力端電圧の分圧がＨｉｇｈレベルであると判定したときに、前記着脱可能な負荷の装着有りと判定する請求項１に記載の負荷検出回路。
【請求項３】
前記マイクロコンピュータが、
前記論理回路の出力端からＨｉｇｈレベルの論理信号が出力されるはずの論理信号が前記論理回路の入力端に供給されていると判断し、かつ、前記論理回路の出力端電圧又は前記論理回路の出力端電圧の分圧がＬｏｗレベルであると判定したときに、前記着脱可能な負荷の装着無しと判定する請求項１または請求項２に記載の負荷検出回路。
【請求項４】
前記マイクロコンピュータの出力ポートから出力される論理信号が前記論理回路の入力端に供給される請求項１〜３のいずれか１項に記載の負荷検出回路。
【請求項５】
前記マイクロコンピュータが、
前記論理回路の出力端電圧又は前記論理回路の出力端電圧の分圧がＨｉｇｈレベルであると判定したときに、前記論理回路の出力端電圧又は前記論理回路の出力端電圧の分圧の値に基づいて前記着脱可能な負荷の寿命を推定する請求項１〜４のいずれか１項に記載の負荷検出回路。
【請求項６】
前記マイクロコンピュータが、
前記論理回路の出力端からＬｏｗレベルの論理信号が出力されるはずの論理信号が前記論理回路の入力端に供給されていると判断し、かつ、前記論理回路の出力端電圧又は前記論理回路の出力端電圧の分圧がＨｉｈｇレベルであると判定したときに、前記着脱可能な負荷の装着有り、かつ、前記着脱可能な負荷に異常有りと判定する請求項１〜５のいずれか１項に記載の負荷検出回路。
【請求項７】
請求項１〜６のいずれか１項に記載の負荷検出回路を備えることを特徴とする電気機器。
【発明の詳細な説明】
【技術分野】
【０００１】
本発明は、着脱可能な負荷の装着有無を検出する負荷検出回路及びそれを備えた電気機器に関する。
【背景技術】
【０００２】
着脱可能な負荷の有無を検出する従来の負荷検出回路の一例を図７に示す。図７に示す従来の負荷検出回路は、マイクロコンピュータ１０１と、インバータ１０２と、スイッチＳＷ１とを備えている。
【０００３】
マイクロコンピュータ１０１の出力ポートＰOUTから出力される論理信号は、インバータ１０２によって反転されたのち、一対のコネクタ１０３Ａ及び１０３Ｂを介して着脱可能な負荷１０４に供給される。また、１２［Ｖ］の直流電圧も一対のコネクタ１０３Ａ及び１０３Ｂを介して着脱可能な負荷１０４に供給される。
【０００４】
着脱可能な負荷１０４は、１２［Ｖ］の直流電圧を電源電圧として利用し、マイクロコンピュータ１０１の出力ポートＰOUTから出力される論理信号に応じて、ＯＮ状態とＯＦＦ状態とが切り替わる負荷である。また、コネクタ１０３Ａとコネクタ１０３Ｂとの接続を解除することにより、図７に示す従来の負荷検出回路を含む電気機器から着脱可能な負荷１０４を取り外すことができる。
【０００５】
スイッチＳＷ１の一端には一対のコネクタ１０５Ａ及び１０５Ｂを介して５［Ｖ］の直流電圧が供給される。また、スイッチＳＷ１の他端は一対のコネクタ１０５Ａ及び１０５Ｂを介してマイクロコンピュータ１０１の入力ポートＰINに接続される。
【０００６】
図７に示す従来の負荷検出回路を含む電気機器に着脱可能な負荷１０４が装着され、着脱可能な負荷１０４が所定の位置に存在している場合にはスイッチＳＷ１が開状態になり、マイクロコンピュータ１０１の入力ポートＰINに５［Ｖ］の直流電圧が供給されない。一方、図７に示す従来の負荷検出回路を含む電気機器から着脱可能な負荷１０４が取り外され、着脱可能な負荷１０４が所定の位置に存在していない場合にはスイッチＳＷ１が閉状態になり、マイクロコンピュータ１０１の入力ポートＰINに５［Ｖ］の直流電圧が供給される。したがって、図７に示す従来の負荷検出回路は、マイクロコンピュータ１０１の入力ポートＰINに５［Ｖ］の直流電圧が供給されているか否かによって、着脱可能な負荷１０４の有無を検出する。
【先行技術文献】
【特許文献】
【０００７】
【特許文献１】特開平９−２７３９３号公報
【発明の概要】
【発明が解決しようとする課題】
【０００８】
しかしながら、図７に示す従来の負荷検出回路は、スイッチＳＷ１のコストがかかるという問題、スイッチＳＷ１を設けるスペースを確保する必要があるという問題、及びスイッチＳＷ１用の部材（コネクタ１０５Ａ及び１０５Ｂ、コネクタ１０５とスイッチＳＷ１とを接続するためのハーネス等）のコストがかかるという問題を有している。
【０００９】
また、従来の負荷検出回路の他の例として、特許文献１に開示されている放電灯（負荷の一つ）が未装着であるかを判定する回路があるが、回路構成が複雑であり低コスト化を図ることができないという問題を有している。
【００１０】
本発明は、上記の状況に鑑み、低コスト化及び省スペース化を図ることができる負荷検出回路及びそれを備えた電気機器を提供することを目的とする。
【課題を解決するための手段】
【００１１】
上記目的を達成するために本発明に係る負荷検出回路は、着脱可能な負荷に論理信号を送出するためのバッファ又はインバータのいずれかの論理回路と、マイクロコンピュータとを備え、前記マイクロコンピュータが、前記マイクロコンピュータの入力ポートに供給される前記論理回路の出力端電圧又は前記論理回路の出力端電圧の分圧に基づいて、前記着脱可能な負荷の装着有無を検出する構成とする。
【００１２】
このような構成によると、スイッチを設けずに、また、複雑な回路構成にすることなく、前記着脱可能な負荷の装着有無を検出することができるので、低コスト化及び省スペース化を図ることができる。
【００１３】
また、前記マイクロコンピュータが、前記論理回路の出力端電圧又は前記論理回路の出力端電圧の分圧がＨｉｇｈレベル又はＬｏｗレベルのいずれかを判定し、前記論理回路の出力端電圧又は前記論理回路の出力端電圧の分圧がＨｉｇｈレベルであると判定したときに、前記着脱可能な負荷の装着有りと判定するようにしてもよい。
【００１４】
また、前記マイクロコンピュータが、前記論理回路の出力端からＨｉｇｈレベルの論理信号が出力されるはずの論理信号（バッファであればＨｉｇｈレベルの論理信号、インバータであればＬｏｗレベルの論理信号）が前記論理回路の入力端に供給されていると判断し、かつ、前記論理回路の出力端電圧又は前記論理回路の出力端電圧の分圧がＬｏｗレベルであると判定したときに、前記着脱可能な負荷の装着無しと判定するようにしてもよい。
【００１５】
また、前記マイクロコンピュータの出力ポートから出力される論理信号が前記論理回路の入力端に供給されるようにしてもよい。
【００１６】
このような構成によると、前記マイクロコンピュータが前記論理回路の入力端に供給される論理信号を容易に認識することができるので、例えば、前記論理回路の出力端からＨｉｇｈレベルの論理信号が出力されるはずの論理信号（バッファであればＨｉｇｈレベルの論理信号、インバータであればＬｏｗレベルの論理信号）が前記論理回路の入力端に供給されているか否かの判断を前記マイクロコンピュータが容易に行うことができる。
【００１７】
また、前記マイクロコンピュータが、前記論理回路の出力端電圧又は前記論理回路の出力端電圧の分圧がＨｉｇｈレベルであると判定したときに、前記論理回路の出力端電圧又は前記論理回路の出力端電圧の分圧の値に基づいて前記着脱可能な負荷の寿命を推定するようにしてもよい。
【００１８】
また、前記マイクロコンピュータが、前記論理回路の出力端からＬｏｗレベルの論理信号が出力されるはずの論理信号が前記論理回路の入力端に供給されていると判断し、かつ、前記論理回路の出力端電圧又は前記論理回路の出力端電圧の分圧がＨｉｈｇレベルであると判定したときに、前記着脱可能な負荷の装着有り、かつ、前記着脱可能な負荷に異常有りと判定するようにしてもよい。
【００１９】
上記目的を達成するために本発明に係る電気機器は、上記いずれかの構成の負荷検出回路を備える構成とする。
【発明の効果】
【００２０】
本発明に係る負荷検出回路及びそれを備えた電気機器によると、スイッチを設けずに、また、複雑な回路構成にすることなく、着脱可能な負荷の装着有無を検出することができるので、低コスト化及び省スペース化を図ることができる。
【図面の簡単な説明】
【００２１】
【図１】本発明の第１実施形態に係る負荷検出回路を示す図である。
【図２】本発明の第２実施形態に係る負荷検出回路を示す図である。
【図３】本発明の第３実施形態に係る負荷検出回路を示す図である。
【図４】本発明の第４実施形態に係る負荷検出回路を示す図である。
【図５】本発明の第５実施形態に係る負荷検出回路を示す図である。
【図６】空気調和機の概略構成を示す図である。
【図７】従来の負荷検出回路の一例を示す図である。
【発明を実施するための形態】
【００２２】
本発明の実施形態について図面を参照して以下に説明する。
【００２３】
＜第１実施形態＞
図１は、本発明の第１実施形態に係る負荷検出回路を示す図である。本発明の第１実施形態に係る負荷検出回路は、マイクロコンピュータ１と、オープンドレインのインバータ２と、抵抗Ｒ１及びＲ２とを備えている。
【００２４】
マイクロコンピュータ１の出力ポートＰOUTから出力される論理信号は、インバータ２によって反転されたのち、一対のコネクタ３Ａ及び３Ｂを介して着脱可能な負荷４に供給される。また、１２［Ｖ］の直流電圧も一対のコネクタ３Ａ及び３Ｂを介して着脱可能な負荷４に供給される。
【００２５】
着脱可能な負荷４は、１２［Ｖ］の直流電圧を電源電圧として利用し、マイクロコンピュータ１の出力ポートＰOUTから出力される論理信号に応じて、ＯＮ状態とＯＦＦ状態とが切り替わる負荷である。マイクロコンピュータ１の出力ポートＰOUTからＬｏｗレベルの論理信号が出力され、インバータ２によってＨｉｇｈレベルに反転される場合に、着脱可能な負荷４がＯＦＦ状態になり、マイクロコンピュータ１の出力ポートＰOUTからＨｉｇｈレベルの論理信号が出力され、インバータ２によってＬｏｗレベルに反転される場合に、着脱可能な負荷４がＯＮ状態になるようにしてもよく、これとは逆に、マイクロコンピュータ１の出力ポートＰOUTからＬｏｗレベルの論理信号が出力され、インバータ２によってＨｉｇｈレベルに反転される場合に、着脱可能な負荷４がＯＮ状態になり、マイクロコンピュータ１の出力ポートＰOUTからＨｉｇｈレベルの論理信号が出力され、インバータ２によってＬｏｗレベルに反転される場合に、着脱可能な負荷４がＯＦＦ状態になるようにしてもよい。
【００２６】
また、コネクタ３Ａとコネクタ３Ｂとの接続を解除することにより、本発明の第１実施形態に係る負荷検出回路を含む電気機器から着脱可能な負荷４を取り外すことができる。
【００２７】
インバータ２の出力端電圧は、高抵抗値の抵抗Ｒ１及びＲ２からなる分圧回路によって分圧される。抵抗Ｒ１と抵抗Ｒ２との接続点Ｎ１がマイクロコンピュータ１の入力ポートＰINに接続され、接続点Ｎ１の電圧、すなわちインバータ２の出力端電圧の分圧がマイクロコンピュータ１の入力ポートＰINに供給される。
【００２８】
マイクロコンピュータ１において、インバータ２の出力端電圧がＨｉｇｈレベルであるときのインバータ２の出力端電圧の分圧をＨｉｇｈレベルと判定し、インバータ２の出力端電圧がＬｏｗレベルであるときのインバータ２の出力端電圧の分圧をＬｏｗレベルと判定するように、マイクロコンピュータ１の入力ポートＰINに供給される電圧のレベル判定用閾値が設定され、記憶されている。なお、マイクロコンピュータ１の入力ポートＰINに供給される電圧のレベル判定用閾値の設定変更は、ソフトウェアによって実行できるので、コンパレータの判定基準を変更するために物理的に部品を変更して回路定数を変更する場合に比べて、容易である。
【００２９】
本発明の第１実施形態に係る負荷検出回路を含む電気機器に着脱可能な負荷４が装着され、インバータ２の出力端に一対のコネクタ３Ａ及び３Ｂを介して着脱可能な負荷４が接続されている場合、マイクロコンピュータ１の出力ポートＰOUTからインバータ２の入力端にＬｏｗレベルの論理信号が供給されていれば、インバータ２の出力端電圧の分圧がＨｉｇｈレベルになり、マイクロコンピュータ１の出力ポートＰOUTからインバータ２の入力端にＨｉｇｈレベルの論理信号が供給されていれば、インバータ２の出力端電圧の分圧がＬｏｗレベルになる。
【００３０】
一方、本発明の第１実施形態に係る負荷検出回路を含む電気機器から着脱可能な負荷４が取り外され、インバータ２の出力端に着脱可能な負荷４が接続されていない場合、１２Ｖ電源がコネクタ３Ａ、３Ｂを通じて着脱可能な負荷４内のプルアップ抵抗Ｒ３を介してインバータ２の出力端に供給されないので、マイクロコンピュータ１の出力ポートＰOUTからインバータ２の入力端に供給されている論理信号がＬｏｗレベル、Ｈｉｇｈレベルのいずれであっても、インバータ２の出力端電圧の分圧がＬｏｗレベルになる。
【００３１】
したがって、マイクロコンピュータ１は、インバータ２の出力端電圧の分圧がＨｉｇｈレベルであると判定したときに、着脱可能な負荷４の装着有りと判定し、Ｌｏｗレベルの論理信号を出力ポートＰOUTからインバータ２の入力端に供給し、かつ、インバータ２の出力端電圧の分圧がＬｏｗレベルであると判定したときに、着脱可能な負荷４の装着無しと判定する。
【００３２】
上記の通り、本発明の第１実施形態に係る負荷検出回路は、スイッチを設けずに、また、複雑な回路構成にすることなく、着脱可能な負荷４の装着有無を検出することができるので、低コスト化及び省スペース化を図ることができる。
【００３３】
また、着脱可能な負荷４の劣化に伴って着脱可能な負荷４のインピーダンスが変化し、インバータ２の出力端電圧の分圧に影響を与えるので、この影響を利用して、着脱可能な負荷４の寿命を推定してもよい。例えば、マイクロコンピュータ１が、インバータ２の出力端電圧の分圧がＨｉｇｈレベルであると判定したときに、インバータ２の出力端電圧の分圧の値を記憶し、インバータ２の出力端電圧の分圧の値の経時的な変化から着脱可能な負荷４の寿命を推定するようにしてもよい。
【００３４】
また、マイクロコンピュータ１の出力ポートＰOUTからインバータ２の入力端に供給されている論理信号がＨｉｇｈレベルであるにもかかわらず、インバータ２の出力端電圧の分圧がＨｉｇｈレベルになることがある。この現象を利用して、マイクロコンピュータ１が、Ｈｉｇｈレベルの論理信号を出力ポートＰOUTからインバータ２の入力端に供給し、かつ、インバータ２の出力端電圧の分圧がＨｉｇｈレベルであると判定したときに、着脱可能な負荷４の装着有り、かつ、インバータ２の動作不良（ＯＮしていない）と判定するようにしてもよい。
【００３５】
＜第２実施形態＞
図２は、本発明の第２実施形態に係る負荷検出回路を示す図である。本発明の第２実施形態に係る負荷検出回路は、抵抗Ｒ１及びＲ２を備えておらず、インバータ２の出力端電圧が直接マイクロコンピュータ１の入力ポートＰINに供給される点を除いて、本発明の第１実施形態に係る負荷検出回路と同様である。
【００３６】
本発明の第１実施形態に係る負荷検出回路と本発明の第２実施形態に係る負荷検出回路との使い分けとしては、インバータ２のＨｉｇｈレベルの出力端電圧がマイクロコンピュータ１の入力ポートＰINの許容電圧（例えば５［Ｖ］以下）を越える場合には、本発明の第１実施形態に係る負荷検出回路を採用し、インバータ２のＨｉｇｈレベルの出力端電圧がマイクロコンピュータ１の入力ポートＰINの許容電圧を越えない場合には、本発明の第２実施形態に係る負荷検出回路を採用するとよい。
【００３７】
本実施形態では、マイクロコンピュータ１において、インバータ２のＨｉｇｈレベルの出力端電圧をＨｉｇｈレベルと判定し、インバータ２のＬｏｗレベルの出力端電圧をＬｏｗレベルと判定するように、マイクロコンピュータ１の入力ポートＰINに供給される電圧のレベル判定用閾値が設定され、記憶されている。そして、マイクロコンピュータ１は、インバータ２の出力端電圧がＨｉｇｈレベルであると判定したときに、着脱可能な負荷４の装着有りと判定し、Ｌｏｗレベルの論理信号を出力ポートＰOUTからインバータ２の入力端に供給し、かつ、インバータ２の出力端電圧がＬｏｗレベルであると判定したときに、着脱可能な負荷４の装着無しと判定する。
【００３８】
また、本実施形態では、例えば、マイクロコンピュータ１が、インバータ２の出力端電圧がＨｉｇｈレベルであると判定したときに、インバータ２の出力端電圧の値を記憶し、インバータ２の出力端電圧の値の経時的な変化から着脱可能な負荷４の寿命を推定するようにしてもよい。
【００３９】
また、本実施形態では、マイクロコンピュータ１が、Ｈｉｇｈレベルの論理信号を出力ポートＰOUTからインバータ２の入力端に供給し、かつ、インバータ２の出力端電圧がＨｉｇｈレベルであると判定したときに、着脱可能な負荷４の装着有り、かつ、着脱可能な負荷４に異常有りと判定するようにしてもよい。
【００４０】
＜第３実施形態＞
図３は、本発明の第３実施形態に係る負荷検出回路を示す図である。本発明の第３実施形態に係る負荷検出回路は、マイクロコンピュータ１の代わりにマイクロコンピュータ１’及び論理信号生成部１”を備えている点を除いて、本発明の第１実施形態に係る負荷検出回路と同様である。
【００４１】
本実施形態では、論理信号生成部１”から出力される論理信号が、インバータ２によって反転されたのち、一対のコネクタ３Ａ及び３Ｂを介して着脱可能な負荷４に供給され、着脱可能な負荷４のＯＮ状態とＯＦＦ状態が、論理信号生成部１”から出力される論理信号に応じて切り替わる。そして、マイクロコンピュータ１’は、論理信号生成部１”から出力される論理信号のレベルに関する情報を論理信号生成部１”から受け取っており、論理信号生成部１”からインバータ２の入力端に供給されている論理信号のレベルを判断することができる。また、マイクロコンピュータ１’において、インバータ２の出力端電圧がＨｉｇｈレベルであるときのインバータ２の出力端電圧の分圧をＨｉｇｈレベルと判定し、インバータ２の出力端電圧がＬｏｗレベルであるときのインバータ２の出力端電圧の分圧をＬｏｗレベルと判定するように、マイクロコンピュータ１’の入力ポートＰINに供給される電圧のレベル判定用閾値が設定され、記憶されている。
【００４２】
本実施形態では、マイクロコンピュータ１’は、インバータ２の出力端電圧の分圧がＨｉｇｈレベルであると判定したときに、着脱可能な負荷４の装着有りと判定し、論理信号生成部１”からＬｏｗレベルの論理信号がインバータ２の入力端に供給されていると判断し、かつ、インバータ２の出力端電圧の分圧がＬｏｗレベルであると判定したときに、着脱可能な負荷４の装着無しと判定する。
【００４３】
また、本実施形態では、例えば、マイクロコンピュータ１’が、インバータ２の出力端電圧の分圧がＨｉｇｈレベルであると判定したときに、インバータ２の出力端電圧の分圧の値を記憶し、インバータ２の出力端電圧の分圧の値の経時的な変化から着脱可能な負荷４の寿命を推定するようにしてもよい。
【００４４】
また、本実施形態では、マイクロコンピュータ１’が、論理信号生成部１”からＨｉｇｈレベルの論理信号がインバータ２の入力端に供給されていると判断し、かつ、インバータ２の出力端電圧の分圧がＨｉｇｈレベルであると判定したときに、着脱可能な負荷４の装着有り、かつ、着脱可能な負荷４に異常有りと判定するようにしてもよい。
【００４５】
＜第４実施形態＞
図４は、本発明の第４実施形態に係る負荷検出回路を示す図である。本発明の第４実施形態に係る負荷検出回路は、抵抗Ｒ１及びＲ２を備えておらず、インバータ２の出力端電圧が直接マイクロコンピュータ１’の入力ポートＰINに供給される点を除いて、本発明の第３実施形態に係る負荷検出回路と同様である。
【００４６】
本発明の第３実施形態に係る負荷検出回路と本発明の第４実施形態に係る負荷検出回路との使い分けとしては、インバータ２のＨｉｇｈレベルの出力端電圧がマイクロコンピュータ１’の入力ポートＰINの許容電圧（例えば５［Ｖ］以下）を越える場合には、本発明の第３実施形態に係る負荷検出回路を採用し、インバータ２のＨｉｇｈレベルの出力端電圧がマイクロコンピュータ１’の入力ポートＰINの許容電圧を越えない場合には、本発明の第４実施形態に係る負荷検出回路を採用するとよい。
【００４７】
本実施形態では、マイクロコンピュータ１’において、インバータ２のＨｉｇｈレベルの出力端電圧をＨｉｇｈレベルと判定し、インバータ２のＬｏｗレベルの出力端電圧をＬｏｗレベルと判定するように、マイクロコンピュータ１’の入力ポートＰINに供給される電圧のレベル判定用閾値が設定され、記憶されている。そして、マイクロコンピュータ１’は、インバータ２の出力端電圧がＨｉｇｈレベルであると判定したときに、着脱可能な負荷４の装着有りと判定し、論理信号生成部１”からＬｏｗレベルの論理信号がインバータ２の入力端に供給されていると判断し、かつ、インバータ２の出力端電圧がＬｏｗレベルであると判定したときに、着脱可能な負荷４の装着無しと判定する。
【００４８】
また、本実施形態では、例えば、マイクロコンピュータ１’が、インバータ２の出力端電圧がＨｉｇｈレベルであると判定したときに、インバータ２の出力端電圧の値を記憶し、インバータ２の出力端電圧の値の経時的な変化から着脱可能な負荷４の寿命を推定するようにしてもよい。
【００４９】
また、本実施形態では、マイクロコンピュータ１’が、論理信号生成部１”からＨｉｇｈレベルの論理信号がインバータ２の入力端に供給されていると判断し、かつ、インバータ２の出力端電圧がＨｉｇｈレベルであると判定したときに、着脱可能な負荷４の装着有り、かつ、着脱可能な負荷４に異常有りと判定するようにしてもよい。
【００５０】
＜第５実施形態＞
図５は、本発明の第５実施形態に係る負荷検出回路を示す図である。本発明の第５実施形態に係る負荷検出回路は、インバータ２の代わりにオープンドレインのバッファ２’を備えている点を除いて、本発明の第１実施形態に係る負荷検出回路と同様である。
【００５１】
本実施形態では、マイクロコンピュータ１において、バッファ２’のＨｉｇｈレベルの出力端電圧をＨｉｇｈレベルと判定し、バッファ２’のＬｏｗレベルの出力端電圧をＬｏｗレベルと判定するように、マイクロコンピュータ１の入力ポートＰINに供給される電圧のレベル判定用閾値が設定され、記憶されている。そして、マイクロコンピュータ１は、バッファ２’の出力端電圧がＨｉｇｈレベルであると判定したときに、着脱可能な負荷４の装着有りと判定し、Ｈｉｇｈレベルの論理信号を出力ポートＰOUTからバッファ２’の入力端に供給し、かつ、バッファ２’の出力端電圧がＬｏｗレベルであると判定したときに、着脱可能な負荷４の装着無しと判定する。
【００５２】
また、本実施形態では、例えば、マイクロコンピュータ１が、バッファ２’の出力端電圧がＨｉｇｈレベルであると判定したときに、バッファ２’の出力端電圧の値を記憶し、バッファ２’の出力端電圧の値の経時的な変化から着脱可能な負荷４の寿命を推定するようにしてもよい。
【００５３】
また、本実施形態では、マイクロコンピュータ１が、Ｌｏｗレベルの論理信号を出力ポートＰOUTからバッファ２’の入力端に供給し、かつ、バッファ２’の出力端電圧がＨｉｇｈレベルであると判定したときに、着脱可能な負荷４の装着有り、かつ、着脱可能な負荷４に異常有りと判定するようにしてもよい。
【００５４】
尚、第１実施形態から第５実施形態への変形と同様の変形を第２〜４実施形態それぞれに対して行うことができる。
【００５５】
＜電気機器＞
本発明に係る負荷検出回路を備える電気機器は、着脱可能な負荷が搭載される電気機器であれば、どのような種類の電気機器であってもよい。
【００５６】
例えば、図６に示す構成の空気調和機の場合、制御部１１によって制御されるルーバモータ１２、ファンモータ１３、熱交換サイクル１４、フィルタ清掃装置１５、及びイオン発生装置１６のうち、着脱可能であって、かつ、低電圧（数十Ｖ以下の電圧）で駆動する負荷であるルーバモータ１２、フィルタ清掃装置１５、及びイオン発生装置１６の少なくとも一つを本発明に係る負荷検出回路の検出対象をすることができる。そして、制御部１１が例えば上述したマイクロコンピュータ１またはマイクロコンピュータ１’を含むようにすればよい。
【００５７】
＜その他＞
以上、本発明の実施形態につき説明したが、本発明の範囲はこれに限定されるものではなく、発明の主旨を逸脱しない範囲で種々の変更を加えて実施することができる。例えば、オープンドレインのインバータ２の代わりにオープンコレクタのインバータを用いることが可能であり、オープンドレインのバッファ２’の代わりにオープンコレクタのバッファを用いることが可能である。また、上述した実施形態では、インバータ２またはバッファ２’の出力端に着脱可能な負荷４が接続されている場合、１２Ｖ電源がコネクタ３Ａ、３Ｂを通じて着脱可能な負荷４内のプルアップ抵抗Ｒ３を介してインバータ２の出力端に供給されているが、本発明の範囲はこれに限定されるものではなく、着脱可能な負荷に論理信号を送出するためのバッファ又はインバータの出力端に着脱可能な負荷が接続されている場合には、前記バッファ又はインバータの出力端に直流電源が供給され、着脱可能な負荷に論理信号を送出するためのバッファ又はインバータの出力端に着脱可能な負荷が接続されていない場合には、前記バッファ又はインバータの出力端に直流電源が供給されない構成であればよい。例えば、上述した実施形態で用いられているプルアップ抵抗Ｒ３の代わりにコイル等を用いてもよい。
【符号の説明】
【００５８】
１、１’、１０１  マイクロコンピュータ
１”  論理信号生成部
２、１０２  インバータ
２’  バッファ
３Ａ、３Ｂ、１０３Ａ、１０３Ｂ、１０５Ａ、１０５Ｂ  コネクタ
４、１０４  着脱可能な負荷
１１  制御部
１２  ルーバモータ
１３  ファンモータ
１４  熱交換サイクル
１５  フィルタ清掃装置
１６  イオン発生装置
Ｎ１  接続点
ＰIN  入力ポート
ＰOUT  出力ポート
Ｒ１、Ｒ２  抵抗
Ｒ３  プルアップ抵抗
ＳＷ１  スイッチ
【図１】
2014006623.tif 000003
【図２】
2014006623.tif 000004
【図３】
2014006623.tif 000005
【図４】
2014006623.tif 000006
【図５】
2014006623.tif 000007
【図６】
2014006623.tif 000008
【図７】
2014006623.tif 000009